(57)【要約】      （修正有）【課題】雨天時、靴、足元、及びズボンが濡れたり汚れることを防ぐ軽量でコンパクトなキャップ式防水靴カバーを提供する。【解決手段】素材は、防水性、防風性、透湿性及び耐久性に優れた生地を使用する。簡単な着脱と靴の形状にフィットさせる為、カバー周囲には耐久性、耐水性に優れた平ゴムを通す。このゴムの伸縮性によりつま先を被い、かかと以外靴１０全体をカバーする。歩行中、甲部分が浮き上がり脱げる原因になるので、原型において甲付近は、自然なカーブで１〜２ｃｍ程巾広に設ける。この時つま先とかかと付近は、除いてカーブを描く。筒の前中心と後中心の縫製の縫い代は“袋縫い”７にする。その縫い代は表に出す。これにより適度な芯となり形状安定の効果を保つ。【選択図】図１
2019017966.tif 000002
【特許請求の範囲】
【請求項１】
筒部分前中心と後中心の縫製の縫い代は、“袋縫い”にする。
袋縫いの袋状縫い代は、表に出す。（図１、２、６）
これにより芯の役目となり、カバー全体の形状安定が保たれることを特徴とする靴カバー
【請求項２】
縫製前の原型において、甲部分は、つま先とかかと部分を除いて自然なカーブで巾広にすることを特徴とする請求項第一項の靴カバー（図５）
【請求項３】
周囲ゴム通し部分の巾は、平ゴムが通る範囲とする。しかしつま先付近は、周囲ゴム通し部分の２倍巾を設けなだらかに続ける。ゴムを通し、伸縮性を持たせる。（図４）
【請求項４】
接地面部分の摩耗防止と、つま先の補強には、耐水性と耐久性に優れた平ゴムを用いる。つま先付近は平らに縫い付け、他周囲は同ゴムを続けてトリミングする、ことを特徴とする請求項第１〜第３の靴カバー。（図３、４）
【発明の詳細な説明】
【技術分野】
【０００１】本発明は、靴、足元、及びズボンが雨水や泥等で濡れたり汚れたりすることを防止するキャップ式携帯用防水靴カバーに関する。
【背景技術】
【０００２】図１１は、第一の従来例を説明する図である。
図１２は、第二の従来例を説明する図である。
図１１は、着脱が簡単で携帯できるが、つま先が履われない。
また、底のベルトは、かかとの底い靴を着用していた場合、このベルトが底よりとび出し、歩行の妨げになる。
またファッション性に欠ける。
図１２は、靴ごと履くため、ひと回り大きな靴を履くことと同然で、スマートさがなく、コンパクトさ、軽量さがない。
靴のデザイン・形状によっては、着用不可能も考えられる。
やはり、ファッション性に欠ける。
【先行技術文献】
【特許文献】
【０００３】
【特許文献１】特開２００２−７８５０３  雨よけ用靴カバー
【特許文献２】特開２００２−２６２９０１  携帯用防水靴カバー
【発明の概要】
【発明が解決しようとする課題】
【０００４】特許文献１は、携帯可能であるが、つま先や底の作りに問題がある。つま先を履うことができず、また底部のベルトは、歩行を妨げる可能性がある。ファッション性に欠ける。【０００５】特許文献２は、防水効果はあるが、コンパクトさ、軽量さに欠ける。適応できる靴の型にも限りがある。【０００６】本発明は、上述の点に鑑みてなされたものであり、その目的は携行が容易で、簡単に装着できる。また、ファッション性もある。
【課題を解決するための手段】
【０００７】請求項１の発明は、ゴムの伸縮性を利用したキャップ型であるということ（図１）前中心、後中心の縫い代を“袋縫い”にする。その縫い代表に出すことでブーツ型形状を保つ（図２）【０００８】請求項２の発明は、歩行の動きにより甲部分カバーが浮いて脱げる原因になりやすいので、原型において甲部分は、内側、外側共、つま先とかかと付近を除いてやや巾広に設ける。自然なカーブで設ける。（図５）【０００９】請求項３の発明は、キャップ型の伸縮には、カバー周囲にゴムを通す。つま先の脱げを防ぎ、つま先の形状を安定させるために、つま先付近は、他周囲の約２倍程のゴム通し巾を設ける。全体は、ゴムがスムーズに通せるだけの巾にする。
これにより、ゴムを通した後は、つま先の曲線に沿って、自然体で被すことができる（図３、４）【００１０】請求項４の発明は、本カバーは、キャップ式で底がない。
そのため、キャップ周囲部分が、万一接面により摩耗することを防ぐ方法として、つま先付近接面部分には、平ゴムを縫い付ける。周り周囲は、トリミングで縫いつけて補強する。
2019017966.tif 000003
【発明の効果】
【００１１】以上説明したように、靴を履いた上に重ねて履くタイプではなく、靴の上に被せるキャップ型である。着脱が簡単でコンパクト更に軽量である。形状がシンプルでフォルムがスマートなので、一見カバーではなくブーツを履いているように見える。
ファッション性もあり、男女、年齢を問わず、衣服とのコーディネートも巾広く対応できる。
紳士ビジネス靴、婦人パンプス、スニーカーなど各々靴の形状でもフィットし着用できる。
雨天以外にも、アウトドアーや外庭仕事時の着用に於いては虫さされ防止の効果もある。
【図面の簡単な説明】
【図１】防水カバーの使用図
【図２】防水カバーの側面図
【図３】防水カバーの底面図
【図４】防水カバーのゴム通し部分とゴムの補強図
【図５】防水カバーの甲部分原型
【図６】防水カバーの袋縫い断面図
【図７】装着方法を説明する図
【図８】脱ぐ時のつま先の脱ぎ方
【図９】収納ポーチ
【図１０】履き方のアレンジ
【図１１】特許文献１を説明する図（従事例）
【図１２】特許文献２を説明する図（従事例）
【発明を実施するための形態】
本発明の実施の形態について、図に基づいて説明する。
【００１２】図１は、本実施の形態における防水カバーの使用図である。
かかと、底部を除いて靴の上からカバーを被せるキャップ型である。
【００１３】
2019017966.tif 000004
により、筒の形状が保たれる。接地面近くは、ゴムのトリミングで補強され、また周囲全体に、ゴムを挿入することで、その伸縮性て
2019017966.tif 000005
ゴム通し巾を設けており、自然につま先を包み込む。
【００１４】図３は、防水カバーを底面から見た図。
接地面全体は、ゴムでトリミングし補強した特につま先付近はこの同じゴムを平らに縫い付けることで、接地による摩耗に耐え工夫がされている。接地面全体には、ゴムを挿入し、伸縮性をもたせフィットさせる。
【００１５】図４は、防水カバーを真上から見た図。
中心の縫製は、“袋縫い”にする。ゴム通し部分は、中に通す平ゴムの巾に準じる。そして、つま先付近は、他のゴム通し巾の
2019017966.tif 000006
を防ぐ。接地面の摩耗防止とつま先の補強には、平ゴムを用いる。つま先付近は、平ゴムのまま縫いつけ、他周囲は、トリミング仕上げにする。
【００１６】図５は、甲付近は、原型で、ゆるやかなカーブで巾広にする図である
歩行中カバーの甲部分が浮き易くなり、カバーが脱げる原因になる。
これを防ぐため、甲部分巾広にする。しかし、つま先とかかと付近は除く。
【００１７】図６は、前中心と後中心の縫い合わせの断面図である。
縫い代は“袋縫い”で表に出すことでフォルムの形状を保つ。
【００１８】図７は、装着方法の図である。靴を履く前（Ａ）に、このカバーに足を通す（Ｂ）次に靴を履く（Ｅ）そして、つま先にカバーを被せる（中心を合わせる）側面からかかとに浴って被せる。
この時、靴底が見える様に、かかとを出して被せる。
最後に筒部分の形状を整える。
【００１９】図８は防水カバーを脱ぐ時の図である。
つま先の“袋縫い”部分を指先でつまむと、手を汚さず外すことができる。次にカバーを浮かせ靴を脱ぎ、防水カバーを脱ぐ。この防水カバーは、たたんで収納ポーチに収める
【００２０】図９は、防水カバーを同素材のポーチに収めた図である。
手の平サイズのポーチにこのカバーは収まる。タオルハンカチ程度の重さで、携帯しやすい。ポーチもカバーも手洗いができる。
【００２１】図１０は防水カバーの使用例の図である。
（Ａ）は、スタンダードに履き、ズボンを中に入れた。（Ｂ）は、筒部分を内側に折り込み、自在のショート丈になる。（Ｃ）は、筒部分を縮めて、ルーズ型にしてみた。いずれも形状安定効果により可能であり、また楽しくファッションに合わせることができる。
【符号の説明】  １．防水カバーの側面全体
２．防水カバーの底部
３．ゴム通し部分
４．ゴムの補強・つま先部分
５．ゴムの補強・周囲トリミング
６．縫い目
７．袋縫い
８．甲部分原型
９．足
１０．靴
１１．防水カバー
１２．指
１３．収納ポーチ
１４．ゴム
１５．ズボンを入れた型
１６．筒を内側に折り込みショート型に
１７．筒をたるませルーズ型に
【図１】
2019017966.tif 000007
【図２】
2019017966.tif 000008
【図３】
2019017966.tif 000009
【図４】
2019017966.tif 000010
【図５】
2019017966.tif 000011
【図６】
2019017966.tif 000012
【図７】
2019017966.tif 000013
【図８】
2019017966.tif 000014
【図９】
2019017966.tif 000015
【図１０】
2019017966.tif 000016
【図１１】
2019017966.tif 000017
【図１２】
2019017966.tif 000018